(57)【要約】      （修正有）【課題】ネックレスの中間数カ所に芳香を放つペンダントを挿入し、ネックレスからムラのない強さの香気を絶えず漂わせるネックレスを提供する。【解決手段】通気孔を設けた中空の半球体２個の開口部分７ａ，７ｂを衝合して、１個の中空球体の内部に香料８を挿入したペンダントを、ネックレス全長に亘った中間数カ所に、ネックレスを構成する装飾品と連鎖状に挿入したことを特徴とする芳香ネックレス。【選択図】図２
0003114545.tif 000002
【実用新案登録請求の範囲】
【請求項１】
適宜な形状の宝石類の装飾品を連鎖したネックレスループ全長に亘ってほぼ等間隔を隔てた中間位置数カ所に、芳香を放つ構造のペンダント（以下、芳香ペンダントとする。）をそれぞれ１個或いは複数個を挿入しネックレスを構成する宝石類装飾品と芳香ペンダントが連鎖して形成されることを特徴とする芳香ネックレス。
【請求項２】
２個の同形の籠状半球体の開口縁どうしを衝合し両開口縁が対応する１箇所の位置に設けた蝶番等により回動自在に開閉可能となる２個の同形籠状半球体のうち、一方の開口縁１カ所に留め金凸部１個を付設し、該留め金凸部に対応する他方の開口縁の位置に留め金凹部１個を設けた構造の芳香ペンダントを使用する請求項１の芳香ネックレス。
【請求項３】
芳香ペンダントの半球状籠下部の一部である開口縁の円周外側に正面と背面の関係のように離れた２カ所の位置に繋ぎ環１個宛を固着し、該繋ぎ環の半球状籠下部に対する平面上の角度位置が蝶番の軸に平行である開口縁の中心線上に位置する特徴を持つ繋ぎ環を具備した芳香ペンダントを使用する請求項１の芳香ネックレス。
【考案の詳細な説明】
【技術分野】
【０００１】  本考案は、芳香を揮発するネックレスに関するものである。
【背景技術】
【０００２】  従来、芳香を放つネックレスは存在した。代表的なものを列記すれば「特開平７−４７００４」。「特開平１１−５６４２０」。「特開２００３−１３５１１４」。がある。【０００３】  以下、この３例についての特徴を説明すれば、
「特開平７−４７００４」。ネックレスを構成するループの１カ所に挿入したペンダントの内部に芳香剤を入れ、絶えずペンダント外部に芳香を放つように工夫したもの。【０００４】  「特開平１１−５６４２０」。ペンダントの内部が空洞で釣鐘状の飾り部材の内部に香料液を含浸させた保水材を詰め込んで形成した芳香を放つ機能をもつ装身具。【０００５】  「特開２００３−１３５１１４」。カラーセラピー理論に基づいた２色の宝石を利用して、装身用部材に芳香液を吸収して芳香を放つ構成部を内蔵し、セラピー効果を上げようとする装身具。
【考案の開示】
【考案が解決しようとする課題】
【０００６】  以上に述べた例に代表される従来のネックレスは、ネックレスループ（ネックレスは通常環状になっているので、この状態を云う。）を連鎖構成する１個のペンダント或いはネックレスループに吊り下げられた、１個のペンダントからの芳香を放つ効果を上げようとして、それぞれの形態で工夫されているが、ネックレスループに吊り下げられたペンダントの位置はほとんどの場合前胸部にあるため、着衣の形状或いは種類等（たとえば、レインコート、オーバー）によってペンダント自体が覆われ、芳香を放つ効果が少なくなる、又は効果が全然ない場合など、芳香の効果が不安定となる問題点があった。ネックレスループを連鎖構成するペンダントが１個の場合であってもこの問題点は解消されない。【０００７】  さらに、ペンダント内に芳香剤を挿入或いは入れ替えの際、容器としてのペンダントを開閉する操作が複雑であったり、芳香剤を確保するために香料液を含浸させた保水材を使用するなど、ネックレスを使用するにあたり、準備に手間がかかるなどの問題点もあった。
本考案は、このような従来のネックレスが持つ問題点を解消しようとするものであり、ネックレスの芳香効果が、着衣によって不安定にならないように、又使用前準備の時、芳香剤の挿入或いは入れ替えが簡単な操作で、手早くできることを目的とするものである。
【課題を解決するための手段】
【０００８】  本考案は、上記目的を達成するための第１の課題解決手段として、ネックレスループを構成する一連の装飾品（真珠のネックレスであれば真珠。ダイヤモンドのネックレスであればダイヤモンド。又、真珠とルビー。瑪瑙と琥珀。などのように異種の装飾品を組み合わせて構成するネックレスであれば、使用する種類の装飾品。）が構成する中間に、芳香を放つ構造のペンダント（以下、芳香ペンダントとする。）数個を、ネックレスループ全長に亘り、ほぼ等間隔を隔てそれぞれ１個或いは複数個宛挿入する。
ネックレスループに吊り下げられて前胸部にぶら下がる従来タイプのペンダントについては、本考案の第１の課題解決手段には直接関係ないが、特別な種類のものとして扱わず、本考案の第１の課題解決手段に援用価値性のある芳香ペンダントの１個として位置づけ、該ペンダントの有無には言及しない。【０００９】  第２の課題解決手段としては、籠状の球体を真っ二つに切って出来る同形の半球状籠２個それぞれの、切り口に相当する円形の開口の縁（以下、開口縁とする。）どうしを、衝合して（付き合わせて）１個の全球体を構成する籠状とし、衝合した開口縁どうしの１カ所を蝶番により蝶着する。したがって２個の開口縁は、蝶着箇所を軸として回動自在に、衝合している開口縁部分にて開閉することとなる。蝶番軸に直角をなす開口縁の中心線上の開口縁外側先端の部分に、留め金などの金具を付設して２個の半球状籠体の回動を止めたり自由にしたりする。
【考案の効果】
【００１０】  第１の課題解決手段による効果は次の通りである。芳香ペンダント１個宛又は複数個を、ネックレスループのほぼ等間隔を隔てた中間数カ所に挿入すれば、一連の装飾品と並んでネックレスループの美的付加価値を高める異種装飾品となる。更に大きな効果としては、ネックレスループの中間数カ所に挿入した芳香ペンダントの位置が、ネックレス着用者の首筋の周囲に点在することになるため、全部の芳香ペンダントが着衣等で覆われることはない。少なくとも１〜２個の芳香ペンダントは着衣に覆われず、したがってネックレスからの香気はいずれかの芳香ペンダントから絶えず持続的に発散される。【００１１】  第２の課題解決手段による効果については、次の通りである。
芳香ペンダントは、
▲１▼  半球状籠２個を衝合させ編み目が細かい１個の球状籠となる。芳香ペンダントの中空の内部に香料を挿入又は充填する際に、芳香ペンダントが簡単に開閉できて、香料の取り替え時や補充に要する時間がきわめて短宿される。
▲２▼  又、中空の球体に彫刻等を施し、彫刻等の模様によって多数の通気孔が球体の表裏を貫通することになった球体を、芳香ペンダントとすれば形状はより芸術的になり、▲１▼の場合と同様の構造であるため、その芳香効果においても同様である。したがって、使用前の準備に要する時間の短縮及び操作の簡易性という効果がみられる。
更に使用中に  おいても、必要に応じてワンタッチで芳香ペンダントの開閉、香料の取り替えや補充  が可能であるため、これに要する時間がきわめて短時間となる効果がある。
【考案を実施するための最良の形態】
【００１２】以下、本考案の実施の形態として一実施例を図１〜図６に基づいて説明する。
図１はネックレスループ（６）の全体斜視図であって、芳香ペンダント（１）｛（１ｃ）、（１ｄ）、（１ｅ）、（１ｆ）の総称。）がネックレスループ（６）の中間４カ所に芳香ペンダント（１ｃ）及び（１ｄ）及び（１ｅ）及び（１ｆ）が１個宛挿入した図である。ネックレスを装身したとき芳香ペンダント（１ｃ）が前躰に位置する場合には、芳香ペンダント（１ｄ）及び（１ｆ）はそれぞれ首の左右の頸動脈付近に位置し、芳香ペンダント（１ｅ）は、首の後ろ（うなじの辺り）に位置する。芳香ペンダントの数は４つに限らないが、数が少ないと着衣によっては芳香ペンダント全部が覆われてしまう場合が考えられ。その場合、香気がまったく漂わなくなるか、きわめて少なくなる。つまり香気に強弱のムラが生じ、好ましいことではない。芳香ペンダントを複数、それもこのような香気に強弱のムラを生じせしめないために、最小個数として前後左右の４個は必要な数としたのは、香気がなくなることを防ぐと共に香気の強弱を出来る限り平均化するためである。【００１３】  図２はネックレスループ（６）のほぼ等間隔の数カ所に繋ぎ環（４ａ、４ｂ）にて装飾品（５）と装飾品（５）との間に｛例示は装飾品が真珠の場合｝挿入した、１個の芳香ペンダントを示す。この芳香ペンダントは半球状籠（１ａ）と、半球状籠（１ｂ）との半球状籠２個を蝶番（２）にて蝶着し、本来衝合して１個の芳香ペンダントを形成する開口縁（７ａ）と開口縁（７ｂ）が開状態となった斜視図である。開状態の芳香ペンダントの内部に香料（８）を挿入し、開口縁（７ａ）と開口縁（７ｂ）を衝合して、留め金凸部（３Ａ）の開閉把手（３ａ）と留め金凹部（３Ｂ）の孔部分（３ｂ）を嵌合させれば、開口縁（７ａ）と開口縁（７ｂ）は衝合したままの状態で着接（固定せず接触させた状態で摺動等のズレ移動がない程度の嵌合）する。香料（８）よりの香気は半球状籠（１ａ）と、半球状籠（１ｂ）のそれぞれの籠目（内外に通気ができる隙間）より芳香ペンダント（１）の外部へ発散される。【００１４】  図３は、芳香ペンダント（１）の側面図である。【００１５】  図４は、芳香ペンダント（１）の平面図である。【００１６】  図５は、芳香ペンダント（１）の上部（１ｂ）と下部（１ａ）をそれぞれ構成する、留め金凸部（３Ａ）と留め金凹部（３Ｂ）との拡大図であって、未係止の状態を示す斜視図である。留め金凸部（３Ａ）は開閉把手（３ａ）と嵌合突起（３ｃ）との凸部分２カ所で形成されていて、留め金凹部（３Ｂ）は孔部分（３ｂ）のみである。留め金凸部（３Ａ）と留め金凹部（３Ｂ）とは芳香ペンダント（１）が閉状態の時、合致して嵌合する位置関係にある。【００１７】  図６は、芳香ペンダント（１）の上部（１ｂ）と下部（１ａ）とが閉状態となったときの留め金凸部（３Ａ）と留め金凹部（３Ｂ）が合致嵌合した状態を示す。留め金凸部（３Ａ）の嵌合突起（３ｃ）部分は、留め金凹部（３Ｂ）内に挿入される。この際、留め金凹部（３Ｂ）と嵌合突起（３ｃ）部分は、係止するための部品付着或いは曲げ加工等はせず、留め金凹部（３Ｂ）の内側面と、留め金凸部（３Ａ）の嵌合突起（３ｃ）部分の接触面は、摩擦力を多くして或る程度以下の外力では摺動せず、圧接状態となるような��造とする。又、別途前記の留め金凹部（３Ｂ）の内側面と、留め金凸部（３Ａ）の嵌合突起（３ｃ）部分の接触面に、一方は僅かな凸部、他方の留め金凹部（３Ｂ）の内側面には僅かな凹部を加工作成して、留め金凸部（３Ａ）と留め金凹部（３Ｂ）が合致した状態のときこの凸部と凹部が合致嵌合し、着接状態を保持する。（この項図示せず。）【００１８】  ネックレスループの中間に芳香ペンダント（１ｃ，１ｄ，１ｅ，１ｆ）を挿入する場合、挿入するために切り離した両側のネックレスループ（６）の１端（装飾品の端部）に１個ず  つの繋ぎ環（４ａ，４ｂ）をそれぞれ繋げば、ネックレスループ（６）の中間に芳香ペンダント（１）を挿入したことになってネックレスループ（６）を形成する。繋ぎ環（４ａ，４ｂ）２個は芳香ペンダント（１ｃ，１ｄ，１ｅ，１ｆ）の半球状籠下部（１  ａ）の開口縁（７ａ）の円周外側に１８０度を隔てて設ける。つまり、外周の正面と背面に位置することになる。２個の繋ぎ環（４ａ，４ｂ）の取り付け位置は、図３にて判るように蝶番（２）の軸と平行になる開口縁（７ａ）の中心線上の、円周外側に位置する。
【図面の簡単な説明】
【００１９】
【図１】  本考案の斜視図
【図２】  本考案の芳香ペンダント開状態の拡大斜視図
【図３】  本考案の芳香ペンダント平面図
【図４】  本考案の芳香ペンダント側面図
【図５】  本考案の芳香ペンダント半球状籠の留め金斜視図（開状態）
【図６】  本考案の芳香ペンダント半球状籠の留め金斜視図（閉状態）
【符号の説明】
【００２０】１        芳香ペンダント（総称）
１ａ      芳香ペンダント半球状籠下部
１ｂ      芳香ペンダント半球状籠上部
２        蝶番
３Ａ      留め金凸部
３Ｂ      留め金凹部
３ａ      留め金凸部の開閉把手
３ｂ      留め金凹部の孔部分
３ｃ      留め金凸部の嵌合突起
４ａ４ｂ  繋ぎ環
５        装飾品
６        ネックレスループ
７ａ      半球状籠１ａの開口縁
７ｂ      半球状籠１ｂの開口縁
８        香料
【図１】
0003114545.tif 000003
【図２】
0003114545.tif 000004
【図３】
0003114545.tif 000005
【図４】
0003114545.tif 000006
【図５】
0003114545.tif 000007
【図６】
0003114545.tif 000008